(57)【要約】【課題】  ユーザが所望の放送番組を視聴するためのチャンネルを、簡単な操作で迅速に選局することができる放送受信再生装置を提供すること。【解決手段】  お好みチャンネルとして設定した特定のチャンネルに、ユーザにより時間帯ごとに選択された放送番組の放送チャンネルをそれぞれ割り当てることにより選択された放送番組をお好み番組として登録するお好みチャンネル設定手段１３と、お好み番組の情報と受信した放送番組に付加されている番組情報とから、お好みチャンネルを含むチャンネルごとの放送予定番組を時間帯別に表示する番組表情報を生成する番組表編集生成手段２０と、お好みチャンネルが選択されたときにはこの選択された時刻に該当するお好み番組の放送チャンネルを選局するお好みチャンネル選局手段２５と、生成された番組表情報、または、選局された放送チャンネルで放送中の放送番組を表示させるために出力する出力手段１７とを有する。【選択図】  図１
2008103981.tif 000002
【特許請求の範囲】
【請求項１】
選局した放送チャンネルの放送番組を受信して再生する放送受信再生装置において、
お好みチャンネルとして設定した特定の放送チャンネルに、ユーザにより時間帯ごとに選択された放送番組の放送チャンネルをそれぞれ割り当てることにより前記選択された放送番組をお好み番組として登録するお好みチャンネル設定手段と、
前記お好み番組の情報と、前記受信した放送番組に付加されている番組情報とから、前記お好みチャンネルを含む放送チャンネルごとの放送予定番組を時間帯別に表示するための番組表情報を生成する番組表編集生成手段と、
前記番組表編集生成手段によって生成された前記番組表情報を表示する番組表情報表示手段と、
前記番組表情報表示手段によって表示された前記番組表情報を参照して前記お好みチャンネルを選局するお好みチャンネル選局手段と、
を有する放送受信再生装置。
【請求項２】
さらに、
前記お好みチャンネル以外のチャンネルが選択されている場合にはそのチャンネル番号または当該選局された放送番組を放送している放送局に対応付けられた選局番号の少なくとも一方を表示し、前記お好みチャンネルが選択されている場合にはお好みチャンネルとして設定されているチャンネル番号と、お好みチャンネルとして選局された放送番組を放送しているいる放送局に対応付けられた選局番号とを合わせて表示する番号表示手段を有する
ことを特徴とする請求項１の放送受信再生装置。
【請求項３】
前記お好みチャンネル設定手段は、前記ユーザにより選択された放送番組と、既に登録されている前記お好み番組との間で重複時間があるときには、前記ユーザにより選択された放送番組と前記登録されているお好み番組とのうち少なくともユーザに選択された一方をお好み番組として更新して登録し、ユーザに選択されなかった他方の放送番組の登録解除を行うかあるいは前記更新された番組の放送時間との重複時間以外の部分があるときにはその前記重複時間以外の部分をお好み番組として登録する
ことを特徴とする請求項１または２に記載の放送受信再生装置。
【請求項４】
さらに、前記受信した放送番組を録画するデータ蓄積手段を有し、
前記お好みチャンネル設定手段は、前記ユーザにより選択された放送番組と、既に登録されている前記お好み番組との間で重複時間があるときには、前記ユーザにより選択された放送番組と前記登録されているお好み番組とのうちユーザに選択された一方をお好み番組として更新して登録し、ユーザに選択されなかった他方の放送番組を前記データ蓄積手段に録画させ、この録画させた放送番組を登録済みのお好み番組と重複しない時間帯に再生させるお好み番組として登録する
ことを特徴とする請求項１〜３のいずれかに記載の放送受信再生装置。
【請求項５】
前記番組表編集生成手段で生成された番組表情報中のお好み番組の情報は、当該お好み番組の放送チャンネルに対応付けられており、
前記出力手段は、前記表示された番組表情報中のお好み番組の情報がユーザの操作により選択されると、当該お好み番組の情報に対応付けられた放送チャンネルを選局して放送中の放送番組を出力する
ことを特徴とする請求項１〜４いずれか１項に記載の放送受信再生装置。
【発明の詳細な説明】
【技術分野】
【０００１】
本発明は、放送局からの放送信号を受信して再生する放送受信再生装置に関する。
【背景技術】
【０００２】
従来、放送受信再生装置では、各放送局から送信される放送電波の周波数帯域を、選局指示する選局チャンネルに対応付けるように設定しておくことで、ユーザが選局チャンネルを操作して所望の放送局の放送番組を視聴することが可能になっている。
【０００３】
このような設定をすることにより、ユーザは新聞の番組一覧表や、ＥＰＧ（Electronic Program Guide：電子番組ガイド）から生成された番組一覧表を用いて視聴したい放送番組の放送局を確認し、放送受信再生装置の選局チャンネルを指定して確認した放送局を選局することで所望の放送番組を視聴することができる。
【０００４】
しかし、近年はデジタル放送の普及によりチャンネル数が非常に多くなり、ユーザが視聴したい番組を番組一覧表から探し出すために時間がかかるようになってきている。
【０００５】
この問題を解決するため、特許文献１には、ユーザが所望の放送番組のチャンネルを迅速に選択できるようにするための技術が記載されている。
【０００６】
この特許文献１の技術では、各時間帯にユーザが希望するチャンネルを割当てチャンネルとして割当てて登録しておき、ユーザが視聴する際はこの選択時の時刻に割当てられているチャンネルを出力することにより迅速に所望のチャンネル選択を行うことができる。
【特許文献１】特開平１０−３３４３１号公報
【発明の開示】
【発明が解決しようとする課題】
【０００７】
しかし、特許文献１の技術は、ユーザがチャンネルを割り当てた登録を有効するための特別な操作や、この機能が有効な状態にあるか否かをユーザに認識させるための特別な操作が必要であり、結果的にユーザの操作が複雑になってしまうという問題があった。
【０００８】
また、特許文献１の技術では、同じ時間帯にユーザが視聴したいチャンネルが複数ある場合の処理については考慮されていなかった。
【０００９】
よって本発明の目的は、ユーザが所望の放送番組を視聴するためのチャンネルを、簡単な操作で迅速に選局することができる放送受信再生装置を提供することである。
【００１０】
また、本発明の他の目的は、同じ時間帯にユーザが視聴したいチャンネルが複数ある場合に、選局する視聴チャンネルをユーザの指示に応じて効率的に設定することができる放送受信再生装置を提供することである。
【課題を解決するための手段】
【００１１】
上記目的を達成するために、本発明の放送受信再生装置（１）は、選局した放送チャンネルの放送番組を受信して再生する放送受信再生装置（１）において、お好みチャンネルとして設定した特定の放送チャンネルに、ユーザにより時間帯ごとに選択された放送番組の放送チャンネルをそれぞれ割り当てることにより前記選択された放送番組をお好み番組として登録するお好みチャンネル設定手段（１３）と、前記お好み番組の情報と、前記受信した放送番組に付加されている番組情報とから、前記お好みチャンネルを含む放送チャンネルごとの放送予定番組を時間帯別に表示するための番組表情報を生成する番組表編集生成手段（２０）と、前記番組表編集生成手段（２０）によって生成された前記番組表情報を表示する番組表情報表示手段と、前記番組表情報表示手段によって表示された前記番組表情報を参照して前記お好みチャンネルを選局するお好みチャンネル選局手段（２５）と、有するものである。
【００１２】
ここで、上記発明において、さらに、前記好みチャンネル以外のチャンネルが選択されている場合にはそのチャンネル番号または当該選局された放送番組を放送している放送局に対応付けられた選局番号の少なくとも一方を表示し、前記お好みチャンネルが選択されている場合にはお好みチャンネルとして設定されているチャンネル番号と、お好みチャンネルとして選局された放送番組を放送しているいる放送局に対応付けられた選局番号とを合わせて表示する番号表示手段を、有するようにしても良い。
【００１３】
また、前記お好みチャンネル設定手段（１３）は、前記ユーザにより選択された放送番組と、既に登録されている前記お好み番組との間で重複時間があるときには、前記ユーザにより選択された放送番組と前記登録されているお好み番組とのうち少なくともユーザに選択された一方をお好み番組として更新して登録し、ユーザに選択されなかった他方の放送番組の登録解除を行うかあるいは前記更新された番組の放送時間との重複時間以外の部分があるときにはその前記重複時間以外の部分をお好み番組として登録するようにしても良い。
【００１４】
また、さらに、前記受信した放送番組を録画するデータ蓄積手段（３０）を有し、前記お好みチャンネル設定手段（１３）は、前記ユーザにより選択された放送番組と、既に登録されている前記お好み番組との間で重複時間があるときには、前記ユーザにより選択された放送番組と前記登録されているお好み番組とのうちユーザに選択された一方をお好み番組として更新して登録し、ユーザに選択されなかった他方の放送番組を前記データ蓄積手段（３０）に録画させ、この録画させた放送番組を登録済みのお好み番組と重複しない時間帯に再生させるお好み番組として登録するようにしても良い。
【００１５】
また、前記番組表編集生成手段（２０）で生成された番組表情報中のお好み番組の情報は、当該お好み番組の放送チャンネルに対応付けられており、前記出力手段（１７）は、前記表示された番組表情報中のお好み番組の情報がユーザの操作により選択されると、当該お好み番組の情報に対応付けられた放送チャンネルを選局して放送中の放送番組を出力するようにしても良い。
【発明の効果】
【００１６】
本発明の放送受信再生装置によれば、ユーザが所望の放送番組を視聴するためのチャンネルを、簡単な操作で迅速に選局することができる。
【００１７】
また、本発明の放送受信再生装置によれば、同じ時間帯にユーザが視聴したいチャンネルが複数ある場合に、選局する視聴チャンネルをユーザの指示に応じて効率的に設定することができる。
【発明を実施するための最良の形態】
【００１８】
《第１実施形態》
本発明の第１実施形態では、ユーザが日ごろよく見る番組を「お好みチャンネル」として特定のチャンネルに登録する放送受信再生装置について説明する。
【００１９】
〈第１実施形態による放送受信再生装置１の構成〉
本発明の第１実施形態による放送受信再生装置１の構成を、図１を参照して説明する。
【００２０】
本実施形態による放送受信再生装置１は、リモコン制御受信手段１１と、ユーザ制御手段１２と、お好みチャンネル番組関連付け管理手段１３と、アンテナ１４と、第１放送選局手段１５と、映像音声信号処理手段１６と、出力手段１７と、番組情報取得保存手段１８と、番組情報解析手段１９と、番組表編集生成手段２０と、番組情報表示制御手段２１と、選局指示番号チャンネル判断手段２２と、選局切替制御手段２３と、選局指示番号対応チャンネル管理手段２４と、お好みチャンネル選局制御手段２５と、画面表示制御手段２６と、表示制御手段２７と、装置表示手段２８とを有する。
【００２１】
リモコン制御受信手段１１は、ユーザのリモコン操作による放送受信再生装置１に対する制御信号を受信してユーザ制御手段１２に送出する。
【００２２】
ユーザ制御手段１２は、リモコン制御受信手段１１から送出された制御信号、またはユーザの操作により入力された制御信号を取得する。
【００２３】
また、ユーザ制御手段１２は、取得した制御信号のうち、選局するチャンネルを指示するための選局指示番号を、選局指示番号チャンネル判断手段２２に送出する。
【００２４】
また、ユーザ制御手段１２は、取得した制御信号のうち、ユーザがよく見る放送番組を登録するためのお好みチャンネルを設定するお好みチャンネル設定要求、または設定されたお好みチャンネルに放送番組を登録するためのお好み番組登録要求を、お好みチャンネル番組関連付け管理手段１３に送出する。
【００２５】
お好みチャンネル番組関連付け管理手段１３は、お好みチャンネル設定要求を取得すると、お好みチャンネルとして設定する選局指示番号をユーザ制御手段１２からの指示または自動設定により取得し登録する。
【００２６】
また、お好みチャンネル番組関連付け管理手段１３は、お好み番組登録要求を取得すると、このお好み番組登録要求で登録が要求されている番組の番組情報を後述する番組情報取得保存手段１８から番組情報解析手段１９を介して取得してお好み番組として登録する。
【００２７】
アンテナ１４は、放送局から送信される放送電波を受信する。
【００２８】
第１放送選局手段１５は、チューナーであり、チャンネル判断手段から取得した選局指示に従って、アンテナ１４において受信された放送電波からユーザが視聴する視聴チャンネルを選局する。
【００２９】
映像音声信号処理手段１６は、第１放送選局手段１５で選局されたチャンネルの圧縮された放送信号を放送電波から取得し、再生するために伸張して再生信号を生成する。
【００３０】
また、映像音声信号処理手段１６は、画面表示制御手段２６から取得される選局指示番号の表示値、および、番組情報表示制御手段２１から取得される番組表データを表示するための表示信号を生成する。
【００３１】
出力手段１７は、映像音声信号処理手段１６で生成された再生信号を、外部の表示手段で表示させる表示信号に変換する。
【００３２】
番組情報取得保存手段１８は、第１放送選局手段１５を介してアンテナ１４から受信した放送電波から、または外部回線を通じて全チャンネルの所定期間の番組情報を取得して保存する。
【００３３】
番組情報解析手段１９は、番組情報取得保存手段１８で保存した番組情報を解析して特定の番組情報の抽出を行う。
【００３４】
番組表編集生成手段２０は、番組情報解析手段１９から取得された番組情報およびお好みチャンネル番組関連付け管理手段１３に登録されているお好み番組の情報を基に、ユーザ独自のお好みチャンネルを含む放送番組一覧を示す番組表データを作成する。
【００３５】
番組情報表示制御手段２１は、番組表編集生成手段２０において生成された番組表データにおいて、ユーザ制御手段１２から時間枠が操作されたときに該当する放送番組が表示されるように、各放送番組の時間枠と選局指示番号チャンネル判断手段２２で生成される選局指示とを対応づける。
【００３６】
選局指示番号チャンネル判断手段２２は、ユーザ制御手段１２または後述するお好みチャンネル選局制御手段２５から取得する選局指示番号から、後述する選局指示番号対応チャンネル管理手段２４で管理される選局関連付け情報を基に選局要求を生成し、選局切替制御手段２３に送出する。
【００３７】
また、選局指示番号チャンネル判断手段２２は、ユーザ制御手段１２から取得する選局指示番号を、表示値として画面表示制御手段２６および表示制御手段２７に送出する。この際、ユーザ制御手段１２からお好みチャンネルの選局指示番号が取得されたときには、お好みチャンネルとして設定された選局指示番号を送出する。
【００３８】
選局切替制御手段２３は、選局指示番号チャンネル判断手段２２から取得した選局要求に基づいて、第１放送選局手段１５で選局するチャンネルを切り替える制御を行う。
【００３９】
選局指示番号対応チャンネル管理手段２４は、ユーザ制御手段１２などから取得される選局指示番号と実際の放送チャンネルとを関連付けた選局関連付け情報を記憶する。
【００４０】
お好みチャンネル選局制御手段２５は、ユーザ制御手段１２の指示によりお好みチャンネルの選局指示番号が選択されると、お好みチャンネル番組関連付け管理手段１３において登録されているお好みチャンネルの情報を取得して解析し、現在時刻に対応するお好み番組の放送チャンネルの選局指示番号を生成して選局指示番号チャンネル判断手段２２に送出する。
【００４１】
画面表示制御手段２６は、選局指示番号チャンネル判断手段２２で生成された選局要求に基づく選局指示番号を表示値として取得し、映像音声信号処理手段１６を介して放送番組の再生信号とともに出力手段１７から表示装置に表示させるために送出する。
【００４２】
表示制御手段２７は、選局指示番号チャンネル判断手段２２で生成された選局要求に基づく選局指示番号を表示値として取得し、装置表示手段２８に表示させるために送出する。
【００４３】
装置表示手段２８は、装置内に設けられ、装置の操作状況や動作状況を表示する。
【００４４】
また、本実施形態による放送受信再生装置１を操作するために利用するリモコン装置４を示す正面図を図２に示す。
【００４５】
図２に示すように、リモコン装置４は、電源のON／OFFの切り替えを行う指示を送信する電源ボタン４１、各チャンネルが割り付けられた選局指示番号を送信する選局ボタン群４２、操作時点における機器の状態や選局状態を表示する指示を送信する画面表示ボタン４３等の操作ボタンを有する。
【００４６】
本実施形態によるリモコン装置４は、一般的に用いられているＴＶリモコンやＶＴＲリモコンのような形状であり、特別な操作ボタン等も必要としないが、別途特殊機能ボタンを追加することによって本実施形態で利用する機能を呼び出すようにしてもよい。
【００４７】
また、本実施形態においてはお好みチャンネルを選局ボタン群４２の中のボタンに割り付け、通常のチャンネルを選局するときと同じ操作でお好みチャンネルを選局することができる。
【００４８】
また、本実施形態においては画面表示ボタン４３の操作により選局中のチャンネルの選局指示番号を表示させるものであり、お好みチャンネルを選局したときにはお好みチャンネルとして設定された選局指示番号を表示させる。
【００４９】
〈第１実施形態による放送受信再生装置１の動作〉
次に、本実施形態による放送受信再生装置１により、お好みチャンネルの設定および番組登録処理、番組表表示処理、登録番組重複処理、および放送チャンネル切替処理を行うときの動作について説明する。
【００５０】
［お好みチャンネルの設定および番組登録処理］
本実施形態による放送受信再生装置１を用いて、お好みチャンネルを設定する処理、およびお好みチャンネルへの番組登録処理を行うときの動作について、図３のフローチャートを参照して説明する。
【００５１】
まず、放送受信再生装置１に電源が投入された状態で、ユーザによりリモコン制御受信手段１１を介して行われたリモコン操作またはユーザにより行われた直接操作により、ユーザが日ごろよく見る番組を登録するお好みチャンネルを設定するためお好みチャンネル設定要求が取得されたか否かがユーザ制御手段１２において監視される（Ｓ１の「NO」）。
【００５２】
ユーザ制御手段１２においてお好みチャンネル設定要求が取得されたと判断されたときには（Ｓ１の「YES」）、このお好みチャンネル設定要求がお好みチャンネル番組関連付け管理手段１３に送出される。
【００５３】
お好みチャンネル番組関連付け管理手段１３では、お好みチャンネル設定要求が取得されると、お好みチャンネルとして設定する選局指示番号がユーザ制御手段１２からの指示または自動設定により取得される（Ｓ２）。
【００５４】
ステップＳ２において選局指示番号が取得されると、お好みチャンネル番組関連付け管理手段１３においてこの選局指示番号がお好みチャンネルとして設定される。
【００５５】
お好みチャンネルの選局指示番号が設定された状態で、ユーザによるユーザ制御手段１２の操作により、日ごろよく見る番組をお好みチャンネルに登録するためのお好み番組登録要求が入力されると、このお好み番組登録要求がお好みチャンネル番組関連付け管理手段１３に送出される。
【００５６】
お好みチャンネル番組関連付け管理手段１３においてお好み番組登録要求が取得されると、このお好み番組登録要求で登録が要求されている番組の番組情報が番組情報取得保存手段１８から番組情報解析手段１９を介して取得される（Ｓ３）。
【００５７】
このとき、番組情報取得保存手段１８に保存されている全チャンネルの所定期間の番組情報の中から、番組情報解析手段１９において登録が要求されている番組の番組情報が抽出されお好みチャンネル番組関連付け管理手段１３に送出される。
【００５８】
お好みチャンネル番組関連付け管理手段１３において登録が要求されている番組の番組情報が取得されると、既に登録されているお好み番組と放送時間が重複していないかチェックされる（Ｓ４）。
【００５９】
既に登録されている番組との放送時間の重複がないと判断されたときは（Ｓ４の「NO」）、登録が要求された番組がお好み番組としてお好みチャンネル番組関連付け管理手段１３に登録される（Ｓ５）。
【００６０】
お好みチャンネル番組関連付け管理手段１３では、取得されたお好み番組の番組情報とお好みチャンネルとして設定された選局指示番号とが関連付けられることにより、お好み番組登録が要求されたお好み番組が登録される。
【００６１】
ステップＳ４において、既に登録されている番組との放送時間の重複があると判断されたときには（Ｓ４の「YES」）、後述する登録番組重複処理が施され（Ｓ６）、登録が可能であれば（Ｓ７の「YES」）登録が要求された番組がお好み番組としてお好みチャンネル番組関連付け管理手段１３に登録される（Ｓ５）。
【００６２】
ステップＳ７において登録が不可能であれば（Ｓ７の「NO」）、お好み番組登録要求は却下され（Ｓ８）、処理が終了する。
【００６３】
［番組表表示処理］
次に、本実施形態における放送受信再生装置１を用いて、お好みチャンネル番組関連付け管理手段１３にお好み番組が登録されていない状態、または上述した処理によりお好み番組が登録された状態における番組表の表示処理が行われたときの動作について、図４のフローチャートおよび図５の画面表示図を参照して説明する。
【００６４】
まず、ユーザの操作によりユーザ制御手段１２から番組表を表示させるための番組表表示要求が送出されると（Ｓ１１の「YES」）、番組表編集生成手段２０においてお好みチャンネル番組関連付け管理手段１３にお好み番組が登録されているか否かが確認される（Ｓ１２）。
【００６５】
お好みチャンネル番組関連付け管理手段１３にお好み番組が登録されていると判断されたときには（Ｓ１２の「YES」）、番組表編集生成手段２０においてこのお好み番組の情報が取得される（Ｓ１３）。
【００６６】
番組表編集生成手段２０においてこのお好み番組の情報が取得されたとき、またはステップＳ１２においてお好みチャンネル番組関連付け管理手段１３にお好み番組が登録されていないと判断されたとき（Ｓ１２の「NO」）は、番組表編集生成手段２０において全チャンネルの所定期間の番組情報が番組情報取得保存手段１８から番組情報解析手段１９を介して取得される（Ｓ１４）。
【００６７】
番組表編集生成手段２０において番組情報が取得されると、縦方向に放送番組の放送時間を示すための時刻が表示され、横方向に各チャンネルの選局指示番号が表示されることにより、各放送番組の放送予定の情報が時間枠で示された番組表データが作成される（Ｓ１５）。
【００６８】
番組表編集生成手段２０において番組表データが作成されると、この番組表データにおいてユーザ制御手段１２から時間枠が操作されたときに該当する放送番組が表示されるように、各放送番組の時間枠と選局指示番号チャンネル判断手段２２で生成される選局指示とが番組情報表示制御手段２１において対応づけられる。
【００６９】
この番組表データは映像音声信号処理手段１６に送出されて表示させるための表示信号に変換され、出力手段１７を介して外部の表示装置に番組表が表示される（Ｓ１６）。
【００７０】
ここで、お好み番組が登録されていない番組情報の番組表が表示装置に表示された状態を、図５（Ａ）に示す。
【００７１】
図５（Ａ）においては、チャンネル「CH1」、「CH2」、「CH3」、「CH4」について時刻12：00〜16：00に放送される放送番組「あ」〜「そ」の番組情報が、番組表として表示されている。
【００７２】
また、お好み番組が登録されている番組情報の番組表が表示装置に表示された状態を、図５（Ｂ）に示す。
【００７３】
本実施形態においては、図５（Ｂ）で示されるチャンネル「CH2」の番組「か」（以下、『番組「か」（CH2）』のように記載する）、番組「す」（CH4）、番組「そ」（CH4）がお好み番組としてお好みチャンネル番組関連付け管理手段１３に登録されており、これらの情報が番組表編集生成手段２０において取得されている。
【００７４】
番組表編集生成手段２０においてお好み番組の情報および番組が取得されると、上述したお好み番組が登録されていない場合と同様の番組表の横方向に、お好みチャンネル（本実施形態においてはチャンネル「CH5」が設定されているものとする）が追加された番組表データが作成され、図５（Ａ）の番組表の中の番組「か」（CH2）、番組「す」（CH4）、番組「そ」（CH4）の番組情報が、お好みチャンネルであるチャンネル「CH5」の時間枠にも入力された番組表が表示される。
【００７５】
以上のように、お好み番組が登録されているときには、番組表にお好みチャンネルの選局指示番号が表示されるとともに、お好み番組の番組情報が表示される。
【００７６】
［登録番組重複処理］
次に、本実施形態による放送受信再生装置１を用いて、上述したステップＳ６の登録番組重複処理について詳細に説明する。この登録番組重複処理については装置の機能等により種々の処理方法があり、ここでは（１）および（２）の２つの処理方法について説明する。
【００７７】
−登録番組重複処理（１）−
登録番組重複処理（１）について、図６のフローチャートおよび図７の画面表示図を参照して説明する。
【００７８】
ここでは、図７（Ａ）に示すようにお好みチャンネル「CH5」に番組「か」、番組「す」、および番組「そ」が既存登録番組として登録されており、新規にお好みチャンネルに番組「こ」の登録が要求されているものとする。
【００７９】
新規にお好みチャンネルに番組「こ」の登録が要求されると、既存登録番組「か」と放送時間が重複することがお好みチャンネル番組関連付け管理手段１３において検出される（Ｓ２１）。
【００８０】
新規にお好みチャンネルに登録が要求されている番組と既存登録番組との間で、放送時間に重複があるとお好みチャンネル番組関連付け管理手段１３において判断されると（Ｓ２１）、この既存登録番組「か」との重複があることを示す警告画面情報および登録が要求されている番組「こ」と既存登録番組「か」との何れを登録するかを選択させる選択画面情報が生成され、出力手段１７より表示装置に出力され表示される（Ｓ２２）。
【００８１】
これらの画面が表示されると、ユーザによる選択指示待ちの状態になる。
【００８２】
ユーザのユーザ制御手段１２の操作により、既存登録番組が選択されると（Ｓ２３の「YES」）、新規にお好みチャンネルに登録が要求されている番組の登録はキャンセルされ、図３のステップＳ１に戻り、お好みチャンネルの設定要求待ち状態になる（Ｓ２４）。
【００８３】
ステップＳ２３において、新規にお好みチャンネルに登録が要求されている番組が選択されると（Ｓ２３の「NO」）、重複していた既存登録番組の登録が解除され（Ｓ２５）、新規にお好みチャンネルに登録が要求されている番組がお好み番組として登録される（Ｓ２６）。
【００８４】
ここでは、新規にお好みチャンネルに登録が要求されている番組「こ」が選択され、番組「か」の登録が解除されるとともに番組「こ」が新たに登録され、図７（Ｂ）に示すように表示される。
【００８５】
お好み番組の登録が完了すると、図３のステップＳ１に戻り、お好みチャンネルの設定要求待ち状態になる（Ｓ２４）。
【００８６】
以上の登録番組重複処理（１）によれば、新規にお好みチャンネルに登録が要求されている番組と既存登録番組との間で放送時間に重複があるときには、これらのうち何れかが選択されてお好みチャンネルに登録される。
【００８７】
−登録番組重複処理（２）−
登録番組重複処理（２）について、図８のフローチャートおよび図９の画面表示図を参照して説明する。
【００８８】
ここでは、図９（Ａ）に示すようにお好みチャンネル「CH5」に番組「か」、番組「す」、および番組「そ」が既存登録番組として登録されており、新規にお好みチャンネルに番組「い」の登録が要求されているものとるする。
【００８９】
新規にお好みチャンネルに番組「い」の登録が要求されると、既存登録番組「か」と放送時間が重複することがお好みチャンネル番組関連付け管理手段１３において検出される（Ｓ３１）。
【００９０】
新規にお好みチャンネルに登録が要求されている番組と既存登録番組との間で、放送時間に重複があるとお好みチャンネル番組関連付け管理手段１３において判断されると（Ｓ３１）、この既存登録番組「か」との重複があることを示す警告画面情報および登録が要求されている番組「い」と既存登録番組「か」との何れを優先するかを選択させる選択画面情報が生成され、出力手段１７より表示装置に出力され表示される（Ｓ３２）。
【００９１】
これらの画面が表示されると、ユーザによる選択指示待ちの状態になる。
【００９２】
ユーザのユーザ制御手段１２の操作により、既存登録番組が優先する番組として選択されると（Ｓ３３の「YES」）、新規にお好みチャンネルに登録が要求されている番組の放送時間と既存登録番組の放送時間とが比較され、登録が要求されている番組の放送時間の中で既存登録番組の放送時間と重複していない非重複部分があるか否かが判断される（Ｓ３４）。
【００９３】
登録が要求されている番組の放送時間の中で既存登録番組との非重複部分があると判断されたときは（Ｓ３４の「YES」）、この非重複部分が抽出され、お好みチャンネルとして登録される（Ｓ３５）。
【００９４】
ステップＳ３４において非重複部分がないと判断されたときは（Ｓ３４の「NO」）、新規にお好みチャンネルに登録が要求されている番組の登録はキャンセルされ、図３のステップＳ１に戻り、お好みチャンネルの設定要求待ち状態になる（Ｓ３６）。
【００９５】
また、ステップＳ３３において新規にお好みチャンネルに登録が要求されている番組が優先する番組として選択されると（Ｓ３３の「NO」）、新規にお好みチャンネルに登録が要求されている番組の放送時間と既存登録番組の放送時間とが比較され、既存登録番組の放送時間の中で登録が要求されている番組の放送時間と重複していない非重複部分があるか否かが判断される（Ｓ３７）。
【００９６】
図９においては、優先する番組として新規にお好みチャンネルに登録が要求されている番組「い」が選択され、番組「か」の放送時間の中に番組「い」の放送時間との非重複部分があるか否かが判断される。
【００９７】
既存登録番組の放送時間の中で登録が要求されている番組との非重複部分があると判断されたときは（Ｓ３７の「YES」）、この非重複部分が抽出され、お好みチャンネルへの登録のし直しが行われる（Ｓ３８）。
【００９８】
ここでは、番組「い」の放送時間は時刻13：30〜14：00であり、番組「か」の放送時間は時刻12：30〜14：00であり、時刻12：30〜13：30の間は非重複部分であるため、この部分の番組「か」が抽出され、お好みチャンネルへの登録のし直しが行われる。
【００９９】
既存登録番組の登録し直しが行われると、新規にお好みチャンネルに登録が要求されている番組がお好み番組としてお好みチャンネルに登録される（Ｓ３９）。
【０１００】
ここでは、番組「い」が放送予定時間どおり、時刻13：30〜14：00に登録され、図９（Ｂ）に示すように表示される。
【０１０１】
また、ステップＳ３７で非重複部分がないと判断されたとき（Ｓ３７の「NO」）は、既存登録番組の登録が解除された後、新規にお好みチャンネルに登録が要求されている番組がお好み番組としてお好みチャンネルに登録される（Ｓ３９）。
【０１０２】
新規にお好みチャンネルに登録が要求されている番組がお好みチャンネルに登録されると図３のステップＳ１に戻り、お好みチャンネルの設定要求待ち状態になる（Ｓ３６）。
【０１０３】
以上の登録番組重複処理（２）によれば、新規にお好みチャンネルに登録が要求されている番組と既存登録番組との間で放送時間に重複があるときには、ユーザにより選択された番組が優先的にお好みチャンネルに登録され、選択されなかった番組は登録された番組と重複しない部分がある場合にその部分のみ登録される。
【０１０４】
[放送チャンネル切替処理]
次に、上述したようにお好みチャンネルにお好み番組が登録された状態で、本実施形態による放送受信再生装置１を用いて表示装置に表示させる番組の放送チャンネルを切り替える処理について図１０のフローチャートを参照して説明する。
【０１０５】
まず、放送受信再生装置１にユーザ制御手段１２から電源が投入されると（Ｓ４１）、起動処理が行われ、テレビジョン放送の受信処理および出力処理が開始される（Ｓ４２）。
【０１０６】
テレビジョン放送の受信処理が開始されると、選局指示番号チャンネル判断手段２２においてデフォルトで設定されている選局指示番号と関連付けられている放送チャンネルが選局指示番号対応チャンネル管理手段２４から取得され、取得された放送チャンネルへの選局要求が生成される。
【０１０７】
生成された選局要求は、選局切替制御手段２３を介して第１放送選局手段１５に送出される。
【０１０８】
また、選局指示番号チャンネル判断手段２２で生成された選局要求に基づく選局指示番号が、表示値として画面表示制御手段２６および表示制御手段２７に送出される。
【０１０９】
画面表示制御手段２６で取得された表示値としての選局指示番号は、映像音声信号処理手段１６を介して放送番組の再生信号とともに出力手段１７から表示装置に送出され、ユーザ制御手段１２からの要求にしたがって表示される。
【０１１０】
また、表示制御手段２７で取得された表示値としての選局指示番号は、放送受信再生装置１内に設けられた装置の操作状況や動作状況を表示する装置表示手段２８に送出され、ユーザ制御手段１２からの要求にしたがって表示される。
【０１１１】
第１放送選局手段１５では、選局切替制御手段２３から取得した選局要求に従って、アンテナ１４から受信された放送電波から受信するチャンネルが選局される。
【０１１２】
第１放送選局手段１５においてチャンネルが選局されると、このチャンネルの圧縮された放送番組の放送信号が映像音声信号処理手段１６で取得されて再生するための再生信号が生成され、出力手段１７から表示装置に送信されることで出力処理が行われる。
【０１１３】
このようにしてデフォルトで設定されたチャンネルの放送番組が出力されると、さらにユーザの操作によりチャンネルを切り替えるためのチャンネル切替要求が取得されたか否かがユーザ制御手段１２で判断される（Ｓ４３）。
【０１１４】
ユーザ制御手段１２においてチャンネル切替要求が取得されていないときは（Ｓ４３の「NO」）、選局指示番号チャンネル判断手段２２において、現在選局中の選局指示番号がお好みチャンネルとして設定された選局指示番号か否かが判断される（Ｓ４４）。
【０１１５】
選局指示番号チャンネル判断手段２２において、現在選局中の選局指示番号がお好みチャンネルとして設定された選局指示番号ではないと判断されたときは（Ｓ４４の「NO」）、ステップＳ４３に戻り、チャンネル切替要求が取得されたか否かが監視される。
【０１１６】
ステップＳ４４において、現在選局中の選局指示番号がお好みチャンネルとして設定された選局指示番号であると判断されたときは（Ｓ４４の「YES」）、お好みチャンネル番組関連付け管理手段１３に登録されているお好み番組の情報がお好みチャンネル選局制御手段２５に送出され、お好みチャンネル選局制御手段２５において現在時刻に対応するお好みチャンネルの登録内容が解析される。
【０１１７】
お好みチャンネル選局制御手段２５において解析された現在時刻に対応するお好みチャンネルの登録内容は選局指示番号チャンネル判断手段２２を介して選局指示番号対応チャンネル管理手段２４で取得され、選局中のチャンネルがお好みチャンネルの登録内容に合っているかチェックされる（Ｓ４５）。
【０１１８】
選局指示番号対応チャンネル管理手段２４において選局中のチャンネルがお好みチャンネルの登録内容に合っているときにはチャンネルの切替は必要ないと判断され（Ｓ４６の「NO」）、ステップＳ４３に戻り、チャンネル切替要求が取得されたか否かが監視される。
【０１１９】
また、選局指示番号対応チャンネル管理手段２４において選局中のチャンネルがお好みチャンネルの登録内容に合っていないときには、お好みチャンネルの登録内容に合わせるためにチャンネル切替が必要であると判断され（Ｓ４６の「YES」）、お好みチャンネル選局制御手段２５で解析されたチャンネルへ切り替えるための選局要求が選局指示番号チャンネル判断手段２２において生成される（Ｓ４７）。
【０１２０】
選局指示番号チャンネル判断手段２２において選局要求が生成されると、選局切替制御手段２３を介して第１放送選局手段１５に送出され、チャンネルが切り替えられる。
【０１２１】
お好みチャンネルの登録内容に合ったチャンネルに切り替えられると、電源がＯＦＦにされなければ（Ｓ４８の「NO」）、ステップＳ４３に戻り、チャンネル切替要求が取得されたか否かが監視される。
【０１２２】
また、ステップＳ４３において、ユーザ制御手段１２でチャンネル切替要求が取得されたときは（Ｓ４３の「YES」）、取得されたチャンネル切替要求がお好みチャンネルへの切替を要求しているか否かが選局指示番号対応チャンネル管理手段２４において判断される（Ｓ４９）。
【０１２３】
選局指示番号対応チャンネル管理手段２４において、取得されたチャンネル切替要求がお好みチャンネルへの切替を要求していると判断されたときは、お好みチャンネルとして設定されている選局指示番号が、表示値として画面表示制御手段２６および表示制御手段２７に送出される。
【０１２４】
画面表示制御手段２６に送出された選局指示番号はユーザ制御手段１２からの要求などにより必要に応じて外部の表示装置に表示され、表示制御手段２７に送出された選局指示番号はユーザ制御手段１２からの要求などにより必要に応じて装置表示手段２８に表示される（Ｓ５０）。
【０１２５】
また、選局指示番号対応チャンネル管理手段２４において、取得されたチャンネル切替要求がお好みチャンネルへの切替を要求していると判断されたときは、お好みチャンネル番組関連付け管理手段１３に登録されているお好み番組の情報がお好みチャンネル選局制御手段２５で取得されて解析され、現在時刻に該当するお好み番組の放送チャンネルが取得される。
【０１２６】
お好みチャンネル選局制御手段２５において現在時刻に該当するお好み番組の放送チャンネルが取得されると、選局指示番号チャンネル判断手段２２においてこの放送チャンネルを選局するための選局要求が生成される。
【０１２７】
さらに、選局指示番号チャンネル判断手段２２において生成された選局要求が、選局切替制御手段２３を介して第１放送選局手段１５に送出され、現在時刻に該当するお好み番組を出力する放送にチャンネルが切り替えられる（Ｓ５１）。
【０１２８】
ステップＳ５１においてチャンネルが切り替えられた後、電源がＯＦＦにされなければ（Ｓ４８の「NO」）、ステップＳ４３に戻り、チャンネル切替要求が取得されたか否かが監視される。
【０１２９】
また、ステップＳ４９において、選局指示番号対応チャンネル管理手段２４において、取得されたチャンネル切替要求がお好みチャンネル以外への切替を要求していると判断されたときは（Ｓ４９の「NO」）、切り替えが要求されたチャンネルの選局指示番号が表示値として、選局指示番号チャンネル判断手段２２から画面表示制御手段２６および表示制御手段２７に送出される。
【０１３０】
画面表示制御手段２６に送出された選局指示番号はユーザ制御手段１２からの要求などにより必要に応じて外部の表示装置に表示され、表示制御手段２７に送出された選局指示番号はユーザ制御手段１２からの要求などにより必要に応じて装置表示手段２８に表示される（Ｓ５２）。
【０１３１】
また、選局指示番号チャンネル判断手段２２において、この切り替えが要求されたチャンネルを選局するための選局要求が生成される。
【０１３２】
さらに、選局指示番号チャンネル判断手段２２において生成された選局要求が、選局切替制御手段２３を介して第１放送選局手段１５に送出され、現在時刻に該当するお好み番組を出力する放送にチャンネルが切り替えられる（Ｓ５３）。
【０１３３】
ステップＳ５３においてチャンネルが切り替えられた後、電源がＯＦＦにされなければ（Ｓ４８の「NO」）、ステップＳ４３に戻り、チャンネル切替要求が取得されたか否かが監視される。
【０１３４】
以上の第1実施形態によれば、ユーザ固有のお好みチャンネルを設定してユーザの所望のお好み番組を登録することにより、ユーザがよく視聴する番組を通常の選局番号指定によるチャンネル切替処理を行うときと同様の簡単な操作で迅速に表示させることができる。
【０１３５】
《第２実施形態》
本発明の第２実施形態では、ユーザが日ごろよく見る番組を「お好みチャンネル」として特定のチャンネルに登録する処理を、タイムシフト機能を利用してさらに効率よく行う放送受信再生装置について説明する。
【０１３６】
〈第２実施形態による放送受信再生装置２の構成〉
本発明の第２実施形態による放送受信再生装置２の構成を、図１１を参照して説明する。
【０１３７】
本実施形態による放送受信再生装置２は、第２放送選局手段２９、データ蓄積手段３０、および録画再生制御手段３１を有する他は第１実施形態による放送受信再生装置１の構成と同様であるため詳細な説明を省略する。
【０１３８】
第２放送選局手段２９は、チューナーであり、チャンネル判断手段から取得した選局指示に従って、アンテナ１４において受信された放送電波からユーザが視聴する視聴チャンネルを選局する。
【０１３９】
データ蓄積手段３０は、後述するタイムシフト再生用に受信された放送番組の放送信号を録画し、タイムシフト再生要求に応じてこの録画した放送信号を映像音声信号処理手段１６に送出する。
【０１４０】
録画再生制御手段３１は、データ蓄積手段３０で録画、または再生する処理を制御する。
【０１４１】
また、上記の構成をとることにより、第１実施形態の機能に加えて、映像音声信号処理手段１６においては、第１放送選局手段１５または第２放送選局手段２９で選局されたチャンネルの圧縮された放送信号を放送電波から取得し、再生するために伸張して再生信号を生成する。
【０１４２】
また、番組情報取得保存手段１８は、第１放送選局手段１５または第２放送選局手段２９を介してアンテナ１４から受信した放送電波から、または外部回線を通じて全チャンネルの所定期間の番組情報を取得して保存する。
【０１４３】
また、選局切替制御手段２３においては、選局指示番号チャンネル判断手段２２から取得した選局要求に基づいて、第１放送選局手段１５または第２放送選局手段２９で選局するチャンネルを切り替える制御を行う。
【０１４４】
〈第２実施形態による放送受信再生装置２の動作〉
本実施形態による放送受信再生装置２において、お好みチャンネルの設定および番組登録処理、および番組表表示処理の動作は第１実施形態と同様であるため、詳細な説明は省略する。
【０１４５】
［登録番組重複処理］
次に、本実施形態による放送受信再生装置２を用いて、図３のステップＳ６の登録番組重複処理（３）について詳細に説明する。
【０１４６】
−登録番組重複処理（３）−
登録番組重複処理（３）について、図１２のフローチャートおよび図１３の画面表示図を参照して説明する。
【０１４７】
ここでは、図１３（Ａ）に示すようにお好みチャンネル「CH5」に番組「か」、番組「す」、および番組「そ」が既存登録番組として登録されており、新規にお好みチャンネルに番組「う」の登録が要求されているものとるする。
【０１４８】
新規にお好みチャンネルに番組「う」の登録が要求されると、既存登録番組「す」と放送時間が重複することがお好みチャンネル番組関連付け管理手段１３において検出される（Ｓ６１）。
【０１４９】
新規にお好みチャンネルに登録が要求されている番組と既存登録番組との間で、放送時間に重複があるとお好みチャンネル番組関連付け管理手段１３において判断されると（Ｓ６１）、この既存登録番組「す」との重複があることを示す警告画面情報および登録が要求されている番組「う」と既存登録番組「す」との何れを優先するかを選択させる選択画面情報が生成され、出力手段１７より表示装置に出力され表示される（Ｓ６２）。
【０１５０】
これらの画面が表示されると、ユーザによる選択指示待ちの状態になる。
【０１５１】
ユーザのユーザ制御手段１２の操作により、既存登録番組が優先する番組として選択されると（Ｓ６３の「YES」）、登録が要求されている番組の録画予約情報がお好みチャンネル番組関連付け管理手段１３において生成され、録画再生制御手段３１に送出されることにより録画予約が登録される（Ｓ６４）。
【０１５２】
録画予約された時刻になると、第１放送選局手段１５または第２放送選局手段２９のうち、放送番組の受信が行われていないほうの選局手段を介して録画対象の放送番組の放送信号が受信され、録画再生制御手段３１の制御によりデータ蓄積手段３０に番組データが録画される。
【０１５３】
ステップＳ６４において登録が要求されている番組の録画予約が登録されると、この録画予約により録画される登録が要求されている番組が、お好みチャンネルにおいて再生可能な時間にシフトされ、お好み番組として登録される（Ｓ６５）。
【０１５４】
図１３においては、ステップＳ６３で既存登録番組「す」が優先する番組として選択され、登録が要求されている番組「う」の録画予約が登録される。
【０１５５】
番組「う」の録画予約が登録されると、番組「う」の再生時間が３０分後にシフトされた位置にお好み番組として登録される。
【０１５６】
つまり、番組「う」の本来の放送時間は時刻14：00〜15：00であるが、この時間のうち時刻14：00〜14：30は登録を優先させた既存登録番組「す」の放送時間であるため、番組「う」の再生時間を時刻14：30〜15：30にシフトさせることにより、お好みチャンネル「CH5」への番組「う」の登録を可能にしている。
【０１５７】
登録が要求されている番組がお好み番組として登録が完了すると、図３のステップＳ１に戻り、お好みチャンネルの設定要求待ち状態になる（Ｓ６６）。
【０１５８】
また、ステップＳ６３において新規にお好みチャンネルに登録が要求されている番組が優先する番組として選択されると（Ｓ６３の「NO」）、重複していた既存登録番組の登録が解除され（Ｓ６７）、新規にお好みチャンネルに登録が要求されている番組がお好み番組として登録される（Ｓ６８）。
【０１５９】
登録が要求されている番組がお好み番組として登録されると、既存登録番組の録画予約情報がお好みチャンネル番組関連付け管理手段１３において生成され、録画再生制御手段３１に送出されることにより録画予約が登録される（Ｓ６９）。
【０１６０】
既存登録番組の録画予約が登録されると、この録画予約により録画される既存登録番組がお好みチャンネルにおいて再生可能な時間にシフトされ、お好み番組として登録される（Ｓ７０）。
【０１６１】
既存登録番組がお好み番組として登録が完了すると、図３のステップＳ１に戻り、お好みチャンネルの設定要求待ち状態になる（Ｓ６６）。
【０１６２】
以上の登録番組重複処理（３）によれば、新規にお好みチャンネルに登録が要求されている番組と既存登録番組との間で放送時間に重複があるときには、これらのうち何れかが録画予約され、再生可能な時間にシフトしてお好みチャンネルに登録される。
【０１６３】
ここで、図１３おいては録画した番組データを、お好みチャンネルにおける連続した空き時間枠に登録しているが、複数の空き時間枠に分散して登録することも可能である。
【０１６４】
[放送チャンネル切替処理]
次に、上述したようにお好みチャンネルにお好み番組が登録された状態で、本実施形態による放送受信再生装置２を用いて表示装置に表示させる番組の放送チャンネルを切り替える処理について図１４のフローチャートを参照して説明する。
【０１６５】
図１４において、ステップＳ７１〜Ｓ７５の処理は、図１０のステップＳ４１〜Ｓ４５の処理と同様であるため、詳細な説明は省略する。
【０１６６】
ステップＳ７５において、選局中のチャンネルがお好みチャンネルの登録内容に合っているか否かのチェックにより、現在の時刻において録画による番組がお好みチャンネルに登録されているか否かが判断される（Ｓ７６）。
【０１６７】
録画による番組がお好みチャンネルに登録されているときには（Ｓ７６の「YES」）、お好みチャンネル選局制御手段２５においてお好みチャンネル番組関連付け管理手段１３から該当するお好み番組の登録情報が取得され、録画再生制御手段３１の制御によりこのお好み番組の番組データがデータ蓄積手段３０から映像音声信号処理手段１６に送出される。
【０１６８】
映像音声信号処理手段１６で取得された番組データは、再生信号に変換され、出力手段１７を介して表示装置に出力され再生される（Ｓ７７）。
【０１６９】
録画された番組がお好みチャンネルの登録に従って再生されるとステップＳ７３に戻り、チャンネル切替要求が取得されたか否かが監視される。
【０１７０】
ステップＳ７６において録画による番組がお好みチャンネルに登録されていないときは（Ｓ７６の「NO」）、選局指示番号対応チャンネル管理手段２４において選局中のチャンネルがお好みチャンネルの登録内容に合っていればチャンネルの切替は必要ないと判断され（Ｓ７８の「NO」）、ステップＳ７３に戻り、チャンネル切替要求が取得されたか否かが監視される。
【０１７１】
また、選局指示番号対応チャンネル管理手段２４において選局中のチャンネルがお好みチャンネルの登録内容に合っていないときには、お好みチャンネルの登録内容に合わせるためにチャンネル切替が必要であると判断され（Ｓ７８の「YES」）、お好みチャンネル選局制御手段２５で解析されたチャンネルへ切り替えるための選局要求が選局指示番号チャンネル判断手段２２において生成される（Ｓ７９）。
【０１７２】
選局指示番号チャンネル判断手段２２において選局要求が生成されると、選局切替制御手段２３を介して第１放送選局手段１５に送出され、チャンネルが切り替えられる。
【０１７３】
お好みチャンネルの登録内容に合ったチャンネルに切り替えられると、電源がＯＦＦにされなければ（Ｓ８０の「NO」）、ステップＳ７３に戻り、チャンネル切替要求が取得されたか否かが監視される。
【０１７４】
また、ステップＳ７３において、ユーザ制御手段１２でチャンネル切替要求が取得されたときの処理（ステップＳ８１〜Ｓ８５）については、図１０のステップＳ４９〜Ｓ５３と同様であるため、詳細な説明は省略する。
【０１７５】
次に、図１５の番組表に示すようにチャンネルごとに放送される番組が予定され、またお好みチャンネルが登録されている状態において、本実施形態による放送チャンネル切替処理を行う場合の操作例１および２について図１６を参照して説明する。
【０１７６】
図１５において、表示されている番組表は、時刻12：00〜18：00の間に、チャンネル「CH1」において番組「た」、「ち」、「つ」、「て」、「と」、「な」、「に」が放送予定であり、チャンネル「CH2」において番組「ぬ」、「ね」、「の」、「は」、「ま」、「や」、「ら」が放送予定であり、お好みチャンネル「CH5」において番組「ち」、「ね」、「は」、「ま」、「な」が登録されている状態であることを示している。
【０１７７】
お好みチャンネル「CH5」に登録された番組のうち、番組「な」は、録画された後再生時間が30分後にシフトされて再生されるように登録されている。
【０１７８】
図１５の番組表に示すように放送番組が予定されている状態で、図１６の操作例１に基づいて操作が行われる場合について図１４のフローチャートと合わせて説明する。
【０１７９】
まず、時刻12：00にユーザの操作によりチャンネル「CH1」が選局されると、（Ｓ７１〜７３、Ｓ８１）、装置表示手段２８にはチャンネル「１」が表示され、表示装置には番組「た」が表示される（Ｓ８４、Ｓ８５）。
【０１８０】
以降、時刻14：30までの間はチャンネルの切り替えが要求されず（Ｓ７４の「NO」）、番組「た」に続いて番組「ち」、「つ」、「て」が表示される。
【０１８１】
時刻14：30になるとユーザの操作によりチャンネル「CH2」への切り替えが要求され（Ｓ７３、Ｓ８１）、装置表示手段２８にはチャンネル「２」が表示され、表示装置には番組「の」が表示される（Ｓ８４、Ｓ８５）。
【０１８２】
以降、時刻16：00までの間はチャンネルの切り替えが要求されず（Ｓ７４の「NO」）、番組「の」に続いて番組「は」、「ま」が表示される。
【０１８３】
次に、番組「ま」がチャンネル「CH2」で放送されている途中の時刻16：00に、ユーザの操作によりチャンネル「CH5」への切り替えが要求され（Ｓ７３、Ｓ８１）、装置表示手段２８にはチャンネル「５」が表示される（Ｓ８２）。また、時刻16：00にはお好みチャンネルにおいても番組「ま」が登録されているため、表示装置には引き続き番組「ま」が表示される（Ｓ８３）。
【０１８４】
時刻16：30になり番組「ま」の放送が終了すると、録画により再生するお好み番組として登録されている番組「な」が再生される（Ｓ７３〜Ｓ７７）。
【０１８５】
時刻17：30になり番組「な」の再生が終了すると、番組「な」の放送チャンネルであるチャンネル「CH1」が引き続きお好みチャンネル「CH5」として選局され、番組「に」が表示装置に表示される（Ｓ７８の「NO」）。
【０１８６】
次に、図１５の番組表に示すように放送番組が予定されている状態で、図１６の操作例２に基づいて操作が行われる場合について図１４のフローチャートと合わせて説明する。
【０１８７】
まず、時刻12：00にユーザの操作によりチャンネル「CH2」が選局されると、（Ｓ７１〜７３、Ｓ８１）、装置表示手段２８にはチャンネル「２」が表示され、表示装置には番組「ぬ」が表示される（Ｓ８４、Ｓ８５）。
【０１８８】
以降、時刻13：00までの間はチャンネルの切り替えが要求されず（Ｓ７４の「NO」）、番組「ぬ」が継続して表示される。
【０１８９】
次に、番組「ぬ」がチャンネル「CH2」で放送されている途中の時刻13：00に、ユーザの操作によりチャンネル「CH5」への切り替えが要求され（Ｓ７３、Ｓ８１）、装置表示手段２８にはチャンネル「５」が表示され、表示装置には登録されているお好み番組「ち」が表示される（Ｓ８２、Ｓ８３）。
【０１９０】
以降、時刻16：30までの間はチャンネルの切り替えが要求されず（Ｓ７４の「NO」）、番組「ち」に続いて登録されているお好み番組「ね」が表示装置に表示される。
【０１９１】
時刻14：00になり番組「ね」の放送が終了すると、以後時刻15：00までの間はお好み番組が登録されていないため、時刻14：00まで表示されていた番組「ね」の放送チャンネルであるチャンネル「CH2」が引き続きお好みチャンネル「CH5」として選局され、番組「の」が表示装置に表示される（Ｓ７４、Ｓ７５、Ｓ７６、Ｓ７８）。
【０１９２】
時刻15：00からはお好み番組が登録されており、番組「は」、「ま」が順に表示装置に表示される。
【０１９３】
時刻16：30になり番組「ま」の放送が終了すると、録画により再生するお好み番組として登録されている番組「な」が再生される（Ｓ７３〜Ｓ７７）。
【０１９４】
以上の第２実施形態によれば、第１実施形態と同様の効果が得られるとともに、お好み番組として登録したい番組どうしで放送時間が重複したときには、一方を録画機能を用いて録画して再生可能な時間にシフトして再生させるため、より多くのユーザの好みの番組を登録することができる。
【０１９５】
上述した第２実施形態においては、お好みチャンネルに登録がない時間帯にお好みチャンネルが選局指示されているときには、直前に表示していた番組のチャンネルが引き続き選択されるようにしたが、これには限定されず、お好みチャンネルの登録の空き時間帯を利用して蓄積した動画や静止画などのコンテンツを表示させるようにしてもよい。
【０１９６】
また、第１実施形態および第２実施形態においては、お好みチャンネル番組関連付け管理手段１３においてお好み番組の登録が要求されている番組の番組情報を取得するときには番組情報解析手段１９において所望の番組情報を抽出するようにしたが、この方法には限定されず、取得した番組情報から番組表編集生成手段２０で番組表を生成させ、さらに番組情報表示制御手段２１、映像音声信号処理手段１６、および出力手段１７を介して番組表を表示させた状態で、ユーザによりこの番組表の番組放送時刻および放送チャンネルで構成される放送時間枠が指定されることにより、お好み番組として登録する番組の番組情報を取得するようにしてもよい。
【図面の簡単な説明】
【０１９７】
【図１】本発明の第１実施形態による放送受信再生装置の構成を示すブロック図である。
【図２】本発明の第１実施形態による放送受信再生装置の操作に利用するリモコン装置を示す正面図である。
【図３】本発明の第１実施形態による放送受信再生装置におけるお好みチャンネルの設定およびお好み番組の登録の動作を示すフローチャートである。
【図４】本発明の第１実施形態による放送受信再生装置における番組表の表示処理の動作を示すフローチャートである。
【図５】本発明の第１実施形態による放送受信再生装置の処理により表示装置に表示された番組表を示す画面表示図である。
【図６】本発明の第１実施形態による放送受信再生装置においてお好み番組登録処理中に行われる登録番組重複処理（１）の動作を示すフローチャートである。
【図７】本発明の第１実施形態による放送受信再生装置において、登録番組重複処理（１）が行われる前および後に表示装置に表示された番組表を示す画面表示図である。
【図８】本発明の第１実施形態による放送受信再生装置においてお好み番組登録処理中に行われる登録番組重複処理（２）の動作を示すフローチャートである。
【図９】本発明の第１実施形態による放送受信再生装置において、登録番組重複処理（２）が行われる前および後に表示装置に表示された番組表を示す画面表示図である。
【図１０】本発明の第１実施形態による放送受信再生装置における放送チャンネル切替処理の動作を示すフローチャートである。
【図１１】本発明の第２実施形態による放送受信再生装置の構成を示すブロック図である。
【図１２】本発明の第２実施形態による放送受信再生装置においてお好み番組登録処理中に行われる登録番組重複処理（３）の動作を示すフローチャートである。
【図１３】本発明の第２実施形態による放送受信再生装置において、登録番組重複処理（３）が行われる前および後に表示装置に表示された番組表を示す画面表示図である。
【図１４】本発明の第２実施形態による放送受信再生装置における放送チャンネル切替処理の動作を示すフローチャートである。
【図１５】本発明の第２実施形態による放送受信再生装置の処理により表示装置に表示された番組表を示す画面表示図である。
【図１６】本発明の第２実施形態による放送受信再生装置における放送チャンネルの操作例１および２を示す説明図である。
【符号の説明】
【０１９８】
１…放送受信再生装置
２…放送受信再生装置
１１…リモコン制御受信手段
１２…ユーザ制御手段
１３…管理手段
１４…アンテナ
１５…第１放送選局手段
１６…映像音声信号処理手段
１７…出力手段
１８…番組情報取得保存手段
１９…番組情報解析手段
２０…番組表編集生成手段
２１…番組情報表示制御手段
２２…選局指示番号チャンネル判断手段
２３…選局切替制御手段
２４…選局指示番号対応チャンネル管理手段
２５…チャンネル選局制御手段
２６…画面表示制御手段
２７…表示制御手段
２８…装置表示手段
２９…第２放送選局手段
３０…データ蓄積手段
３１…録画再生制御手段
【図１】
2008103981.tif 000003
【図２】
2008103981.tif 000004
【図３】
2008103981.tif 000005
【図４】
2008103981.tif 000006
【図５】
2008103981.tif 000007
【図６】
2008103981.tif 000008
【図７】
2008103981.tif 000009
【図８】
2008103981.tif 000010
【図９】
2008103981.tif 000011
【図１０】
2008103981.tif 000012
【図１１】
2008103981.tif 000013
【図１２】
2008103981.tif 000014
【図１３】
2008103981.tif 000015
【図１４】
2008103981.tif 000016
【図１５】
2008103981.tif 000017
【図１６】
2008103981.tif 000018